(57)【特許請求の範囲】
【請求項１】
光学系で形成される画像を投写面に投写するとともに被設置面に設置される投写型表示装置であって、少なくとも一面が前記被設置面と対向する外装ケースと、この外装ケースに設けられ前記外装ケースの前記被設置面に対する角度を変更して投写角度を調整する投写角度調整機構とを備え、この投写角度調整機構は、前記外装ケースの前記被設置面への対向面に独立して取り付けられており、
前記投写角度調整機構は、前記外装ケースの前記対向面に対して開閉自在とされた蝶番部材と、前記蝶番部材を前記対向面に対して所定の開脚角度で固定する固定手段と、前記固定手段による固定とその解除を行うレバー機構を備え、
前記蝶番部材は、第１のプレート状部材と、前記第１のプレート状部材に対して回動可能に固定された第２のプレート状部材とを備え、前記固定手段は、前記蝶番部材の開閉動作に伴って移動する移動部材と、前記移動部材を所定位置で固定することによって前記第１のプレート状部材と前記第２のプレート状部材とを所定の開脚角度で係止する係止部材とを備えていることを特徴とする投写型表示装置。
【請求項２】
請求項１に記載の投写型表示装置において、前記投写角度調整機構は、前記外装ケースの前記被設置面への対向面に対して着脱可能に取り付けられていることを特徴とする投写型表示装置。
【請求項３】
請求項１に記載の投写型表示装置において、前記係止部材には複数の溝が設けられ、前記移動部材の前記係止部材の溝と接する部分にも複数の溝が設けられ、一方に設けられた溝のピッチは他方に設けられた溝のピッチの複数倍とされていることを特徴とする投写型表示装置。
【請求項４】
請求項１から３のいずれかに記載の投写型表示装置において、前記投写角度調整機構は、画像を投写面に向けて投写する方向を回転中心として傾き角度を調整可能としたことを特徴とする投写型表示装置。
【請求項５】
請求項４に記載の投写型表示装置において、前記投写角度調整機構は弾性変形可能なプレート状部材を備え、このプレート状部材は、その両側端部が画像を投写面に向けて投写する方向を軸芯として前記外装ケースに軸支されていることを特徴とする投写型表示装置。
【発明の詳細な説明】
【０００１】
【発明の属する技術分野】
本発明は、投写型表示装置に係り、特に外装ケースに設けられた投写角度調整機構を備えた投写型表示装置に関する。
【０００２】
【背景技術】
従来より、光源ランプから出射される光束を光学的に処理して画像情報に応じた光学像を形成し、この画像を投写面に拡大投写する投写型表示装置が知られている。
【０００３】
このような投写型表示装置は、会議、学会、展示会等でのマルチメディアプレゼンテーションに広く利用されており、プレゼンテーション用の会議室等に設置されることがある。
【０００４】
投写型表示装置は、その投写レンズをスクリーン等に向けて被設置面に設置されるが、その際に投写型表示装置の被設置面に対する投写角度を調整するため、投写角度調整機構が装置下部の投写レンズ側端部に設けられている。
【０００５】
従来の投写角度調整機構は、下端が露出されるとともに中心部から上端にかけて装置内部に収納されたナット部材と、このナット部材の下端からねじ込まれるとともに下端が被設置面に当接するボルト部材とを備えたねじ式の調整機構や、装置内部に昇降自在に収納されるラック部材と、このラック部材の下端に設けられるとともに被設置面と当接する脚部と、ラック部材を所定の位置で固定する固定部材とを備えたラック式の調整機構がある。また、投射型テレビジョン受像機の下面に回転自在の角度調整足を設ける構成がある。（特許文献１）
【特許文献１】
特開昭６２−２９０２９２
【０００６】
【発明が解決しようとする課題】
前述のねじ式の調整機構では、ナット部材が装置内部に上下に延びて収納されているため、装置内部に投写角度調整機構を設けるためのスペースが必要となる。特に、ボルト部材は装置全体の荷重を支えるため、大きな径が必要であり、かつ、調整角度を大きくするために、長さが長い必要がある。そのため、ボルト部材と螺合されるナット部材はボルト部材の大きさに応じて大型化され、その結果、装置内部で調整機構の大きな設置スペースが必要となり、装置自体が必然的に大型化および厚型化される。
【０００７】
また、ラック式の調整機構では、ラック部材が装置内部に昇降自在に収納されるとともにラック部材を固定する固定部材が装置内部に収納されているため、装置内部に投写角度調整機構を設けるためのスペースが必要となる。特に、ラック部材もボルト部材と同様に、装置全体の荷重を支えるため、大きな太さが必要であり、かつ、調整角度を大きくするために、長さが長い必要があり、装置自在が必然的に大型化および厚型化される。
【０００８】
本発明の目的は、小型化および薄型化を促進できる投写型表示装置を提供することにある。
【０００９】
【課題を解決するための手段】
そのため、本発明は従来装置の内部に収納されていた投写角度調整機構を外装ケースの外面に独立して設けることで前記目的を達成しようとするものである。
具体的には、本発明の投写型表示装置は、光学系で形成される画像を投写面に投写するとともに被設置面に設置される投写型表示装置であって、少なくとも一面が前記被設置面と対向する外装ケースと、この外装ケースに設けられ前記外装ケースの前記被設置面に対する角度を変更して投写角度を調整する投写角度調整機構とを備え、この投写角度調整機構は、前記外装ケースの前記被設置面への対向面に独立して取り付けられており、前記投写角度調整機構は、前記外装ケースの前記対向面に対して開閉自在とされた蝶番部材と、この蝶番部材を前記対向面に対して所定の開脚角度で固定する固定手段と、前記固定手段による固定とその解除を行うレバー機構を備えていることを特徴とする。
【００１０】
このような本発明においては、投写型表示装置を机上等の被設置面に設置する場合には、外装ケースの被設置面への対向面、つまり、外装ケースの下面に設けられた投写角度調整機構を所定の角度に維持した状態とする。
【００１１】
本発明では、投写角度調整機構が外装ケースの対向面に取り付けられているため、装置内部に投写角度調整機構が収納されるスペースがなくなる。そのため、投写型表示装置自体の省スペース化を図って装置の小型化および薄型化を促進することができる。
【００１２】
ここで、本発明の投写型表示装置では、前記投写角度調整機構は、前記外装ケースの前記被設置面への対向面に対して着脱可能に取り付けられている構成としてもよい。
【００１３】
この構成では、投写角度調整機構は外装ケースに独立して取り付けられているため、投写型表示装置の外装ケースを含む本体部分を組み立てた後で投写角度調整機構を外装ケースに着脱自在に取り付けることで、部品交換が容易となる。
【００１４】
また、前記投写角度調整機構は、前記投写角度調整機構は、前記外装ケースの前記対向面に対して開閉自在とされた蝶番部材と、この蝶番部材を前記対向面に対して所定の開脚角度で固定する固定手段とを備えた構成とすることが好ましい。
【００１５】
この構成では、投写角度調整機構を蝶番部材を備えて構成したから、外装ケースの前記対向面（下面）に投写角度調整機構を簡単に収納することができる。
【００１６】
さらに、前記蝶番部材は、第１のプレート状部材と、前記第１のプレート状部材に対して回動可能に固定された第２のプレート状部材とを備えて構成してもよく、この場合、前記固定手段は、前記蝶番部材の開閉動作に伴って移動する移動部材と、前記移動部材を所定位置で固定することによって前記第１のプレート状部材と前記第２のプレート状部材とを所定の開脚角度で係止する係止部材とを備えた構成が好ましい。
【００１７】
この構成では、第１および第２のプレート状部材を開脚することで投写角度を自在に設定することができる。しかも、これらのプレート状部材にそれぞれ設けられた係止部材の移動部材への固定位置を変更することで投写角度を簡単かつ確実に固定することができる。
【００１８】
また、本発明の投写型表示装置は、前記係止部材による係止とその解除とを行うためのレバー機構を有する構成が好ましい。
【００１９】
この構成では、係止部材による移動部材への係止操作ならびに解除操作をレバー機構を用いて簡単に行うことができる。
【００２０】
その上、前記レバー機構は前記係止部材による係止とその解除とを操作するための複数の操作部を有し、前記操作部の少なくとも一つによって前記操作が可能とされた構成が好ましい。
【００２１】
この構成では、複数のうちの少なくとも１つの操作部を摘んで操作することで、
簡単に係止ならびに解除操作を行うことができる。
【００２２】
さらに、前記係止部材には複数の溝が設けられ、前記移動部材の前記係止部材の溝と接する部分にも複数の溝が設けられ、一方に設けられた溝のピッチは他方に設けられた溝のピッチの複数倍とされた構成が好ましい。
【００２３】
この構成では、係止部材あるいは移動部材の溝の方向に多少のずれがあっても、係止部材と移動部材とは円滑に係合することができる。
【００２４】
さらに、本発明の投写型表示装置は、前記投写角度調整機構が画像を投写面に向けて投写する方向を回転中心として傾き角度を調整可能とした構成が好ましい。
【００２５】
この構成では、被設置面に対して投写型表示装置が傾いた状態で設置されても、投写角度調整機構自体の傾きを調整することで、投写型表示装置を安定した姿勢で維持することができる。
【００２６】
この際、前記投写角度調整機構は弾性変形可能なプレート状部材を備え、このプレート状部材は、その両側端部が画像を投写面に向けて投写する方向を軸芯として前記外装ケースに軸支されている構成が好ましい。
【００２７】
この構成では、プレート状部材を強制的に弾性変形させることで投写型表示装置の傾き調整が容易に行える。
【００２８】
【発明の実施の形態】
以下、本発明の実施の一形態を図面に基づいて説明する。
【００２９】
（１）装置の全体構成
図１、図２には、本実施形態に係る投写型表示装置１の概略斜視図が示され、図１は上面側から見た斜視図、図２は下面側から見た斜視図である。
【００３０】
投写型表示装置１は、光源ランプから出射された光束を赤（Ｒ）、緑（Ｇ）、青（Ｂ）の三原色に分離し、これらの各色光束を液晶ライトバルブ（変調系）を通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は外装ケース２の内部に収納されている。
【００３１】
（２）外装ケースの構造
外装ケース２は、基本的には、装置上面を覆うアッパーケース３と、装置底面を構成するロアーケース４と、背面部分を覆うリアケース５とから構成されており、ロアーケース４の下面は図示しない被設置面と対向する対向面４Ａとされる。
【００３２】
図１に示されるように、アッパーケース３の上面において、その前方側の左右の端には、多数の連通孔２５Ｒ、２５Ｌが形成されている。また、これらの連通孔２５Ｒ、２５Ｌ間には、投写型表示装置１の画質等を調整するための操作スイッチ６０が設けられている。さらに、アッパーケース３の前面の向かって左下部分には、図示略のリモートコントローラからの光信号を受信するための受光部７０が設けられている。
【００３３】
図２に示されるように、ロアーケース４の底面には、内部に収納される光源ランプユニット８（後述）を交換するためのランプ交換蓋２７と、装置内部を冷却するための空気取入口２４０が形成されたエアフィルタカバー２３とが設けられている。
【００３４】
リアケース５には、外部電力供給用のＡＣインレット（図示せず）や各種の入出力端子群（図示せず）が配置され、これらの入出力端子群に隣接して、装置内部の空気を排出する排気口（図示せず）が形成されている。
【００３５】
また、ロアーケース４の対向面４Ａ、つまり、下面には、図２に示すように、その前端の略中央部に投写角度調整機構３０が独立して取り付けられ、後端の左右の角部にフット３１Ｒ、３１Ｌが設けられている。フット３１Ｒ、３１Ｌは、回転させることで突出方向に進退する構成であり、その進退量を調整することによって表示下面の傾きを変更することが可能である。
【００３６】
（３）投写角度調整機構の構造
投写角度調整機構３０の詳細な構成を図３〜図８に基づいて説明する。
【００３７】
図３および図４は、それぞれ異なる角度から見た投写角度調整機構３０の斜視図であり、図５は、投写角度調整機構３０の正面図であり、図６は、投写角度調整機構の縦断面図であり、図７（Ａ）は、投写角度調整機構の縦断面図であり、図７（Ｂ）は、投写角度調整機構の一部を示す縦断面図であり、図８は、投写角度調整機構の一部の縦断面図である。
【００３８】
投写角度調整機構３０は、ロアーケース４の前記被設置面に対する角度を変更して投写角度を調整するもので、ロアーケース４の前記被設置面に対向する対向面４Ａに対して開閉自在とされた蝶番部材３２と、この蝶番部材３２を前記対向面に対して所定の開脚角度で固定する固定手段３３とを備えた構成である。
【００３９】
蝶番部材３２は平面矩形の第１のプレート状部材３４と、この第１のプレート状部材３４の下方に配置され被設置面に下面が当接可能な第２のプレート状部材３５と、これらの第１のプレート状部材３４と第２のプレート状部材３５とを開閉自在に係合するヒンジ３６とを備えている。
【００４０】
第１のプレート状部材３４は、プラスチック等の弾性変形可能な材質から形成されており、その４辺に枠部３４Ａ，３４Ｂが立設され、かつ、互いに対向する枠部３４Ａの中心部に係合部３４Ｃが形成されている。
【００４１】
第１のプレート状部材３４は、これらの係合部３４Ｃをロアーケース４の係合部（図示せず）に係合させることによってロアーケース４の対向面４Ａに取り付けられる。そして、当該対向面４Ａに軸支されることで、投写角度調整機構３０は画像を投写面に向けて投写する方向を回転中心として傾き角度が調整可能とされる。また、第１のプレート状部材３４はロアーケース４に対して着脱自在である。
【００４２】
第２のプレート状部材３５は、その先端部分が湾曲して形成されるとともに、この湾曲した部分の両端部３５Ｂで被設置面に支持される。また、第２のプレート状部材３５の第１のプレート状部材３４と対向する面に補強用リブ３５Ａが格子状に形成されている。
【００４３】
固定手段３３は、第１のプレート状部材３４の中央部に形成した開口部３４Ｄに出没自在とされた係止部材３７と、第２のプレート状部材３５に取り付けられ第２のプレート状部材３５の第１のプレート状部材３４に対する開閉動作に伴ってスライドする移動部材としてのスライド部材３９と、スライド部材３９のスライドをガイドするガイド部材４２と、スライド部材３９を介して第１のプレート状部材３４と第２のプレート状部材３５とを係合させる係合片４３と、係止部材３７による係止を行ったり、その係止を解除したりするためのレバー機構４０とを備えた構成である。
【００４４】
係止部材３７は、第１のプレート状部材３４の枠部３４Ａにほぼ平行に刻まれた複数の溝３７Ａ（図８に示す）を有する略板状の部材である。スライド部材３９は、図７（Ａ）からわかるように、第１のプレート状部材３４の互いに対向する枠部３４Ａの中央部に架設された長尺状のガイド部材４２を覆うような形状の部材である。スライド部材３９の係止部材３７と接する面には、係止部材３７の複数の溝と係合する複数の溝３９Ａ（図８に示す）が形成されている。これら係止部材３７の溝３７Ａとスライド部材３９の溝３９Ａとが係合することによって、所望の投写角度で装置が固定されることとなる。
【００４５】
ガイド部材４２は、図６に示すように、内部が中空とされた長尺状の部材であり、その内部に設けられた２つの固定部４２Ａによって、第２のプレート状部材３４の面に固定されている。また、図７（Ｂ）に示すように、ガイド部材４２の外側面には、スライド部材３９の爪３９Ｂを係合させるための溝４２Ｂが形成されている。従って、スライド部材３９の動作は、この溝４２Ｂによってガイドされる。また、ガイド部材４２の係止部材３７と重なり合う部分には、ガイド部材４２と係止部材３７とが干渉しないように、図８に示すように切り欠き４２Ｃが形成されている。
【００４６】
係合片４３は、図３に示すように、スライド部材３９、第２のプレート状部材３５の両方に、回動可能に係合されている。そのため、第２のプレート状部材３５がヒンジ３６を中心として第１のプレート状部材３４に対して開閉すると、その動作に連動して係合片４３を介してスライド部材３９がガイド部材４２に沿って往復運動する。
【００４７】
レバー機構４０は、図４に示されるように、先に説明した係止部材３７による係止および係止解除の操作を行うための操作部である摘み部４８と、摘み部４８の操作と連動して係止部材３７による係止および係止解除を行うレバー本体４１と、係止部材３７による係止状態において係止部材３７をスライド部材３９に向けて付勢するばね４５とを備えている。
【００４８】
レバー本体４１は、第１のプレート状部材３４の枠部３４Ｂに近接配置される左右一対の腕部４７と、これら一対の腕部４７を連結する連結部４４とを有している。連結部４４の中央には、凹部４４Ａが設けられている。そして、図７（Ａ）に示すように、この凹部４４Ａの下面側に、係止部材３７がねじ４９によって固定されている。レバー本体４１の一対の腕部４７の一方の端部は、それぞれ左右一対の摘み部４８に連結している。そして、摘み部４８とは反対側の端部は、ヒンジ３６を介して、第１のプレート状部材３４の枠部３４Ｂに対してわずかに回動可能に支持されている。なお、腕部４７の枠部３４Ｂに対する回動量は、枠部３４Ｂに設けられた凸部３４Ｅによって規制される。
【００４９】
ばね４５は、その両端部が左右の枠部３４Ｂの一部にそれぞれ設けられたばね支持部３４Ｆに支持された線ばねである。ばね４５は、そのばね力によって、レバー本体４１の凹部４４Ａを介してその下面に固定されている係止部材３７を押圧している。
【００５０】
（４）投写角度調整機構による角度調整方法
以上説明した投写角度調整機構３０によって、投写角度の調整を行う場合の手順を説明する。
【００５１】
図４からわかるように、使用者が、摘み部４８を摘んで投写型表示装置の本体を持ち上げると、その操作が一対の腕部４７を通じてレバー本体４１の連結部４４に伝わる。ここで、図７（Ａ）に示すように、連結部４４の凹部４４Ａには係止部材３７が固定されている。よって、摘み部４８を摘んで投写型表示装置の本体を持ち上げると、図８中二点鎖線で示すように、ばね４５の付勢力に抗して係止部材３７が持ち上げられ、係止部材３７とスライド部材３９との係合が解除される。
【００５２】
このように係合が解除されたままの状態で、すなわち、摘み部４８を摘んだままの状態で、装置本体を上下に動かすと、その動きに連動してスライド部材３９がガイド部材４２に沿って往復運動する。また、これと同時に、第２のプレート状部材３５がヒンジ３６を中心として、第１のプレート状部材３４に対して開閉する。従って、この状態で、使用者は、投写された画面を観察しながら投写角度の調節を行うことができる。
【００５３】
そして、所望の投写角度となった位置で、摘み部４８から手を離すと、ばね４５の付勢力と装置本体の重みとによって、図８中実線で示すように、係止部材３７とスライド部材３９とが係合され、装置の投写角度が固定されることとなる。
【００５４】
なお、スライド部材３９に形成された溝３９Ａのピッチは、係止部材３７に形成された溝３７Ａのピッチの２倍とされている。これは、係止部材３７の溝３７Ａの方向とスライド部材３９の溝３９Ａの方向とが若干ずれても、円滑に係合を行うことができるようにするためである。スライド部材３９の溝３９Ａのピッチは、溝３７Ａのピッチの２倍に限定されるものではなく、３倍、４倍であっても良い。ただし、ピッチを荒くしすぎると、溝と溝との間に形成される複数の歯の１つ１つにかかる加重が大きくなりすぎ、歯の強度を大きくする必要が生じる。したがって、溝３９Ａのピッチは、過度に荒くしすぎない方が良い。
【００５５】
（５）装置の内部構造
図９〜図１２には、投写型表示装置１の内部構造が示されている。図９および図１０は装置内部の概略斜視図であり、図１１は投写型表示装置１の垂直方向断面図である。
【００５６】
これらの図に示される通り、外装ケース２の内部には、電源としての電源ユニット７、光源ランプユニット８、光学系を構成する光学ユニット１０、上下一対のドライバーボード１１、メインボード１２などが配置されている。
【００５７】
電源ユニット７は、投写レンズ６の両側に配置された第１、第２電源ブロック７Ａ、７Ｂで構成されている。第１電源ブロック７Ａは、ＡＣインレット５０を通して得られる電力を変圧して主に第２電源ブロック７Ｂおよび光源ランプユニット８に供給するものであり、トランス（変圧器）、整流回路、平滑回路、電圧安定回路等を備えている。第２電源ブロック７Ｂは、第１電源ブロック７Ｂから得られる電力をさらに変圧して供給するものであり、第１電源ブロック７Ａと同様にトランスの他、各種の回路を備えている。そして、その電力は光学ユニット１０の下側に配置された電源回路基板１３（図１０中に点線で図示）および各電源ブロック７Ａ、７Ｂに隣接配置された第１、第２吸気ファン１７Ａ、１７Ｂに供給される。また、電源回路基板１３上の電源回路では、第２電源ブロック７Ｂからの電力を基にして主にメインボード１２上の制御回路駆動用の電力を造り出しているとともに、その他の低電力部品用の電力を造り出している。ここで、第２吸気ファン１７Ｂは、第２電源ブロック７Ｂと投写レンズ６との間に配置されており、投写レンズ６とアッパーケース３（図１で示す）との間に形成される隙間を通して冷却用空気を外部から内部に吸引するように設けられている。そして、各電源ブロック７Ａ、７Ｂは、カバー部材２５０Ａ、２５０Ｂを備え、各カバー部材２５０Ａ、２５０Ｂには、アッパーケース３の連通孔２５Ｒ、２５Ｌに対応する位置に音声出力用のスピーカ２５１Ｒ、２５１Ｌが設けられている。
【００５８】
光源ランプユニット８は、投写型表示装置１の光源部分を構成するものであり、光源ランプ１８１およびリフレクタ１８２からなる光源装置１８３と、この光源装置１８３を収納するランプハウジング１８４とを有している。このような光源ランプユニット８は、下ライトガイド９０２（図１１で示す）と一体に形成された収容部９０２１で覆われており、上述したランプ交換蓋２７から取り外せるように構成されている。収容部９０２１の後方には、リアケース５の排気口（図示せず）に対応した位置に一対の排気ファン１６が左右に並設されており、これらの排気ファン１６によって第１〜第３吸気ファン１７Ａ〜１７Ｃで吸引された冷却用空気を収容部９０２１近傍に設けられた開口部からその内部に導き入れるとともに、この冷却用空気で光源ランプユニット８を冷却した後、その冷却用空気を排気口１６０から排気している。尚、各排気ファン１６の電力は、電源回路基板１３から供給されるようになっている。
【００５９】
光学ユニット１０は、光源ランプユニット８から出射された光束を、光学的に処理して画像情報に対応した光学像を形成するユニットであり、照明光学系９２３、色分離光学系９２４、変調系９２５、および色合成光学系としてのプリズムユニット９１０とを含んで構成される。変調系９２５およびプリズムユニット９１０以外の光学ユニット１０の光学素子は、上下のライトガイド９０１、９０２の間に上下に挟まれて保持された構成となっている。これらの上ライトガイド９０１、下ライトガイド９０２は一体とされて、ロアーケース４の側に固定ネジにより固定されている。また、これらのライトガイド９０１、９０２は、プリズムユニット９１０の側に同じく固定ネジによって固定されている。
【００６０】
直方体状のプリズムユニット９１０は、マグネシウムの一体成形品から構成される側面略Ｌ字の構造体であるヘッド体９０３の裏面側に固定ネジにより固定されている。また、変調系９２５を構成する各液晶ライトバルブ９２５Ｒ、９２５Ｇ、９２５Ｂは、プリズムユニット９１０の３側面と対向配置され、同様にヘッド体９０３に対して固定ネジにより固定されている。なお、液晶ライトバルブ９２５Ｂは、プリズムユニット９１０を挟んで液晶ライトバルブ９２５Ｒと対向した位置に設けられている（図１２参照）。そして、これらの液晶ライトバルブ９２５Ｒ、９２５Ｇ、９２５Ｂは、ヘッド体９０３の下面に位置しかつ前述の空気取入口２４０に対応して設けられた第３吸気ファン１７Ｃからの冷却用空気によって冷却される。さらに、ヘッド体９０３の前面には、投写レンズ６の基端側が同じく固定ネジによって固定されている。このようにプリズムユニット９１０、変調系９２５、投写レンズ６を搭載したヘッド体９０３は、図１１に示すように、ロアーケース４に対して固定ネジにより固定されている。
【００６１】
ドライバーボード１１は、上述した変調系９２５の各液晶ライトバルブ９２５Ｒ、９２５Ｇ、９２５Ｂを制御するためのものであり、光学ユニット１０の上方に配置されている。また、下方のドライバーボード１１Ａと上方のドライバーボード１１Ｂとはスタッドボルト９０１１を介して離間しており、互いの対向面には制御回路を形成する図示しない多くの素子が実装されている。すなわち、それらの多くの素子が各ドライバーボード１１間を流通する冷却用空気によって効率よく冷却されるようになっている。そして、そのような冷却用空気は、主に前述した第３吸気ファン１７Ｃによって吸引されたものが、各液晶ライトバルブ９２５Ｒ、９２５Ｇ、９２５Ｂを冷却した後に上ライトガイド９０１の開口部を通って各ドライバーボード１１間に流入したものである。
【００６２】
メインボード１２は、投写型表示装置１全体を制御する制御回路が形成されたものであり、光学ユニット１０の側方に立設されている。このようなメインボード１２は、前述のドライバーボード１１、操作スイッチ６０と電気的に接続されている他、入出力端子群５１が設けられたインターフェース基板１４およびビデオ基板１５と電気的に接続され、また、コネクター等を介して電源回路基板１３に接続されている。そして、メインボード１２の制御回路は電源回路基板１３上の電源回路で造られた電力、すなわち第２電源ブロック７Ｂからの電力によって駆動されるようになっている。なお、メインボード１２の冷却は、第２吸気ファン１７Ｂから第２電源ブロック７Ｂを通って流入する冷却用空気で行われる。
【００６３】
図９において、メインボード１２と外装ケース２（図９ではロアーケース４およびリアケース５のみを図示）との間には、アルミ等の金属製のガード部材１９が配置されている。このガード部材１９は、メインボード１２の上下端にわたる大きな面状部１９１を有しているとともに、上部側が固定ネジ１９２で第２電源ブロック７Ａのカバー部材２５０Ｂに固定され、下端がロアーケース４の例えばスリットに係合支持され、この結果、ロアーケース４にアッパーケース３を取り付ける際にアッパーケース３（図１）とメインボード１２との干渉を防ぐ他、メインボード１２を外部ノイズから保護している。
【００６４】
（６）光学系の構造
次に、投写型表示装置１の光学系即ち光学ユニット１０の構造について、図１２に示す模式図に基づいて説明する。
【００６５】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する変調系９２５と、変調後の各色光束を合成する色合成光学系としてのプリズムユニット９１０とを含んで構成されている。
【００６６】
照明光学系９２３は、光源ランプユニット８から出射された光束Ｗの光軸１ａを装置前方向に折り曲げる反射ミラー９３１と、この反射ミラー９３１を挟んで配置される第１のレンズ板９２１および第２のレンズ板９２２とを備えている
第１のレンズ板９２１は、マトリクス状に配置された複数の矩形レンズを有しており、光源から出射された光束を複数の部分光束に分割し、各部分光束を第２のレンズ板９２２の近傍で集光させる。
【００６７】
第２のレンズ板９２２は、マトリクス状に配置された複数の矩形レンズを有しており、第１のレンズ板９２１から出射された各部分光束を変調系９２５を構成する液晶ライトバルブ９２５Ｒ、９２５Ｇ、９２５Ｂ（後述）上に重畳させる機能を有している。
【００６８】
このように、本例の投写型表示装置１では、照明光学系９２３により、液晶ライトバルブ９２５Ｒ、９２５Ｇ、９２５Ｂ上をほぼ均一な照度の光で照明することができるので、照度ムラのない投写画像を得ることができる。
【００６９】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００７０】
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００７１】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００７２】
このように平行化された赤色、緑色光束Ｒ、Ｇは、入射側偏光板９６０Ｒ、９６０Ｇを通って液晶ライトバルブ９２５Ｒ、９２５Ｇに入射して変調され、各色光に対応した画像情報が付加される。すなわち、これらの液晶ライトバルブ９２５Ｒ、９２５Ｇは、前述のドライバーボード１１によって画像情報に応じてスイッチング制御されて、これにより、ここを通過する各色光の変調が行われる。一方、青色光束Ｂは、導光系９２７を介して対応する液晶ライトバルブ９２５Ｂに導かれ、ここにおいて、同様に画像情報に応じて変調が施される。尚、本実施形態の液晶ライトバルブ９２５Ｒ、９２５Ｇ、９２５Ｂとしては、例えば、ポリシリコンＴＦＴをスイッチング素子として用いたものを採用することができる。
【００７３】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９２５Ｂに入射して変調される。この際、光束Ｗの光軸１ａおよび各色光束Ｒ、Ｂ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、導光系９２７を介在させることにより、光量損失を抑制できる。
【００７４】
次に、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００７５】
（７）実施形態の効果
このような本実施形態によれば、以下のような効果がある。
【００７６】
▲１▼下面が被設置面と対向する外装ケース２と、この外装ケース２のロアーケース４に設けられロアーケース４の被設置面に対する角度を変更して投写角度を調整する投写角度調整機構３０とを備え、この投写角度調整機構３０は、ロアーケース４の前記被設置面への対向面４Ａに独立して取り付けられているから、装置内部に投写角度調整機構３０が収納されるスペースがなくなる。従って、投写型表示装置自体の省スペース化を図って装置の小型化および薄型化を促進することができる。
【００７７】
しかも、投写角度調整機構３０はロアーケース４に独立して取り付けられており、外装ケース２、投写レンズ６、電源ユニット７、光源ランプユニット８、光学系を構成する光学ユニット１０等からなる本体部分を組み立てた後で投写角度調整機構３０を外装ケース２に着脱自在に取り付けられているため、投写角度調整機構３０が破損等した場合には、本体部分を分解するこなく、新しい投写角度調整機構３０を簡単に取り付けることができる。
【００７８】
▲２▼投写角度調整機構３０は、ロアーケース４の前記対向面に対して開閉自在とされた蝶番部材３２と、この蝶番部材３２を前記対向面に対して所定の開脚角度で固定する固定手段３３とを備えて構成したから、外装ケースの前記対向面（下面）に投写角度調整機構３０を簡単に収納することができる。
【００７９】
▲３▼蝶番部材３２は、第１および第２のプレート状部材３４，３５と、これらのプレート状部材３４，３５を開閉自在に係合するヒンジ３６とを備えた構成としたから、第１および第２のプレート状部材３４，３５をヒンジ３６を介して開閉することで投写角度を自在に設定することができる。しかも、第２のプレート状部材３５の両端部３５Ｂで被設置面に支持される構成としたから、投写型表示装置を安定して被設置面に支持することができる。
【００８０】
▲４▼固定手段３３は、第１のプレート状部材３４に取り付けられた係止部材３７と、第２のプレート状部材３５に取り付けられ第２のプレート状部材３５の第１のプレート状部材３４に対する開閉動作に伴ってスライドするスライド部材（移動部材）３９とを備え、これらの係止部材３７とスライド部材３９との係合状態を変更することで投写角度を簡単かつ確実に固定することができる。
【００８１】
▲５▼係止部材３７の溝３７Ａが一定のピッチ毎に形成され、スライド部材３９は、その溝３９Ａが溝３７Ａのピッチの複数倍のピッチで形成されているため、係止部材３７あるいはスライド部材３９の溝３７Ａ，３９Ａの方向に多少のずれがあっても、係止部材３７とスライド部材３９とは円滑に係合することができる。
【００８２】
▲６▼投写角度調整機構３０は画像を投写面に向けて投写する方向を回転中心として傾き角度を調整可能とした構成としたから、被設置面に対して投写型表示装置が傾いた状態で設置されても、投写角度調整機構３０自体の傾きを調整することで、投写型表示装置を安定した姿勢で維持することができる。
【００８３】
▲７▼投写角度調整機構３０は、弾性変形可能な第１のプレート状部材３４を備え、このプレート状部材３４は、その両側端部が画像を投写面に向けて投写する方向を軸芯としてロアーケース４に軸支されている構成であるため、第１のプレート状部材３４を強制的に弾性変形させることで投写型表示装置の傾き調整が容易に行える。
【００８４】
▲８▼投写型表示装置は、係止部材３７による係止とその解除とを行うためのレバー機構４０を有するから、係止部材３７によるスライド部材３９への係止操作ならびに解除操作をレバー機構４０を用いて簡単に行うことができる。
【００８５】
その上、レバー機構４０は係止部材３７による係止とその解除とを操作するための複数の摘み部４８（操作部）を有し、これらの摘み部４８によって前述の操作が可能とされたから、簡単に係止ならびに解除操作を行うことができる。
【００８６】
▲９▼投写型表示装置１では、構成部品の中でも比較的大きな電源ユニット７がより小さな第１、第２電源ブロック７Ａ、７Ｂで構成され、これらが互いに離間して配置されたているため、それらの電源ブロック７Ａ、７Ｂを装置１内部に効率よく配置することもより、装置１内部にデッドスペースを生じ難くでき、装置１の小型化を図ることができる。
【００８７】
これに対して、従来では、投写レンズ６の両側のスペースは、各種構成部品を収容するのには狭過ぎるので、デットスペースになり易かった。しかし、本実施形態では、電源ユニット７が第１、第２電源ブロック７Ａ、７Ｂで構成されているので、各電源ブロック７Ａ、７Ｂをそのような狭い収容スペースにも良好に配置でき、配置効率を向上させて小型化をより確実に促進できる。
【００８８】
また、第１、第２電源ブロック７Ａ、７Ｂが投写レンズ６の両側に配置されることにより、重量の大きいヘッド体９０３を左右方向のほぼ中央に配置して装置１の重量バランスを良好にでき、投写型表示装置１を例えば三脚等に固定した場合に傾き難くできる。
【００８９】
（８）変形例
なお、本発明は、前記実施形態に限定されるものではなく、本発明の目的を達成できる他の構成等を含み、以下に示すような変形等も本発明に含まれる。
【００９０】
例えば、前記実施形態では、投写角度調整機構３０の傾き角度を調整するために、第１のプレート状部材３４自体を弾性変形可能としたが、本発明では、図１３に示される通り、第１のプレート状部材３４を傾斜するための傾斜機構５０を設けるものでもよい。図１３において、傾斜機構５０は、第１のプレート状部材３４の端面に固定されたアーム５１と、このアーム５１の端部に回動可能に係合されるとともに図示しない外装ケースに回動可能に支持されたウォームホイール５２と、このウォームホイール５２と噛合するウォームギア５３とを備え、このウォームギア５３を正逆方向に回転することで、ウォームホイール５２およびアーム５１を介して係合部３４Ｃを中心として第１のプレート状部材３４の傾斜角度を調整する構成である。なお、この傾斜機構５０は図１３で示されるものに限定されるものではなく、例えば、第１のプレート状部材３４を傾斜させるために、ラックおよびピニオン等を使用したものでもよい。
【００９１】
さらに、本発明では、投写角度調整機構３０の傾き角度の調整ができないように第１のプレート状部材３４がロアーケース４に固定した構造でもよい。
【００９２】
また、前記実施形態では、固定手段３３は、溝３７Ａを有する係止部材３７と、溝３９Ａを有するスライド部材３９とを係合させることで係止を行う構成としたが、これらの係止部材３７およびスライド部材３９の互いに対向する部分にゴム等の摩擦を生じる部材を設け、摩擦力によって係止を行う構造としてもよい。また、溝３７Ａと溝３９Ａとのピッチを同一としてもよい。
【００９３】
また、先に述べた実施形態では、複数の摘み部４８（操作部）によって係止部材３７による係止とその解除とを操作可能としているが、一部の摘み部（操作部）によってその操作を可能とすることも考えられる。
【００９４】
さらに、電源ユニット７を第１の電源ブロック７Ａと第２の電源ブロック７Ｂとで構成し、これらを互いに離隔して配置したが、本発明では、電源ユニット７を複数に分割することなく、１個のユニットとして構成してもよい。
【００９５】
【発明の効果】
以上に述べたように、本発明によれば、光学系で形成される画像を投写面に投写するとともに被設置面に設置される投写型表示装置であって、少なくとも一面が前記被設置面と対向する外装ケースと、この外装ケースに設けられ前記外装ケースの前記被設置面に対する角度を変更して投写角度を調整する投写角度調整機構とを備え、この投写角度調整機構は、前記外装ケースの前記被設置面への対向面に独立して取り付けられた構成としたから、装置内部に投写角度調整機構が収納されるスペースがなくなり、投写型表示装置自体の省スペース化を図って装置の小型化および薄型化を促進することができる。
【図面の簡単な説明】
【図１】本発明の実施形態に係る投写型表示装置の上部から見た外観斜視図である。
【図２】前記実施形態における投写型表示装置の下部から見た外観斜視図である。
【図３】投写角度調整機構の全体を示す斜視図である。
【図４】投写角度調整機構の全体を示すもので図３とは異なる方向から見た斜視図である。
【図５】投写角度調整機構の全体を示す正面図である。
【図６】投写角度調整機構の全体を示す縦断面図である。
【図７】（Ａ）は投写角度調整機構の全体を示す縦断面図であり、（Ｂ）は、投写角度調整機構の一部を示す縦断面図である。
【図８】投写角度調整機構の一部を示す縦断面図である。
【図９】前記実施形態における投写型表示装置の内部構造を表す斜視図である。
【図１０】前記実施形態における投写型表示装置の内部の光学系を表す斜視図である。
【図１１】前記実施形態における投写型表示装置の内部構造を表す垂直断面図である。
【図１２】前記実施形態における投写型表示装置の光学系の構造を説明するための模式図である。
【図１３】本発明の変形例を示す一部を破断した正面図である。
【符号の説明】
１                  投写型表示装置
２                  外装ケース
４Ａ                対向面
３０                投写角度調整機構
３２                蝶番部材
３３                固定手段
３４                第１のプレート状部材
３５                第２のプレート状部材
３７                係止部材
３９                スライド部材（移動部材）
４０                レバー機構
４８                摘み部（操作部）
【図１】
0003596291.tif 000002
【図２】
0003596291.tif 000003
【図３】
0003596291.tif 000004
【図４】
0003596291.tif 000005
【図５】
0003596291.tif 000006
【図６】
0003596291.tif 000007
【図７】
0003596291.tif 000008
【図８】
0003596291.tif 000009
【図９】
0003596291.tif 000010
【図１０】
0003596291.tif 000011
【図１１】
0003596291.tif 000012
【図１２】
0003596291.tif 000013
【図１３】
0003596291.tif 000014